(57)【特許請求の範囲】
【請求項１】
ボディ（１１）とネック（１２）とを有する楽器特にギターまたはベース用の楽器スタンドであって、該楽器スタンドが、設置した状態で鉛直線に対して後方へ傾いて延びる支持フレーム（２８）と、該支持フレーム（２８）に係合した脚部部材（２９，３０）とから成る枠状のフレーム（１３）と、前記脚部部材（２９，３０）に配置された長細い２つの支持部材（１４，１５）とを有しており、該支持部材（１４，１５）が互いに平行に延びていて、楽器のボディのための支持部として働くようになっており、さらに前記支持フレーム（２８）の前記脚部部材（２９，３０）とは反対側の領域に、楽器のネック（１２）を当接させるための当接面を有する当接部材（１８）が配置されている形式のものにおいて、
当接部材（１８）が、２つの支持部材に対してほぼ平行に延在するように配置されており、枠状のフレーム（１３）の、長細い支持部材（１４，１５）の付近に、支持部材に平行な旋回軸（Ａ）を中心にして少なくとも外側の支持部材（１５）を当接部材（１８）に対して旋回させることを可能にするヒンジ装置（２１，２２）が配置されていることを特徴とする、楽器スタンド。
【請求項２】
複数の楽器が互いに間隔をおいて長細い前記支持部材（１４，１５）に沿って載置可能となるように長細い支持部材（１４，１５）の長さが設定されている、請求項１記載の楽器スタンド。
【請求項３】
長細い支持部材は当接部材（１８）に近い方の内側の支持部材（１４）と、前記当接部材（１８）から遠い方の外側の支持部材（１５）とを有しており、該当接部材（１８）が、支持部材（１４，１５）の平面に対する投影図で見て、両長細い支持部材（１４，１５）の外に位置している、請求項１または２記載の楽器スタンド。
【請求項４】
長細い支持部材（１４，１５）が端部側で側方区分（１９，２０）を介して結合されている、請求項１から３までのいずれか１項記載の楽器スタンド。
【請求項５】
長細い支持部材（１４，１５）が、互いに８〜４０ｃｍ、有利には２０〜３０ｃｍの間隔をおいて配置されている、請求項１から４までのいずれか１項記載の楽器スタンド。
【請求項６】
長細い当接部材（１８）に分割装置（２３，２４，２５）が配置されており、該分割装置（２３，２４，２５）が、複数の楽器のために設けられた当接部材（１８）を複数の区分（２６，２７）に分割するようになっている、請求項１から５までのいずれか１項記載の楽器スタンド。
【請求項７】
枠状のフレーム（１３）の支持フレーム（２８）に一方では長細い当接部材（１８）が係合しており、他方では壁固定装置（３１，３２）が係合している、請求項１から６までのいずれか１項記載の楽器スタンド。
【請求項８】
枠状のフレーム（１３）および／または長細い支持部材（１４，１５）および／または長細い当接部材（１８）が横断面で見て円形の管から形成されている、請求項１から７までのいずれか１項記載の楽器スタンド。
【請求項９】
長細い支持部材（１４，１５）および／または長細い当接部材（１８）に少なくとも部分的に、高い静摩擦係数を有する発泡性材料から成るプラスチック被覆部（３４）が設けられている、請求項１から８までのいずれか１項記載の楽器スタンド。
【請求項１０】
請求項１から９までのいずれか１項または請求項１の上位概念部に記載した楽器スタンドにおいて、
２つの支持部材（１４，１５）が、枠状のフレーム（１３）の強化部として該フレーム（１３）を強化していることを特徴とする楽器スタンド。
【発明の詳細な説明】
【０００１】
【発明の属する技術分野】
本発明はボディとネックとを有する楽器特にギターまたはベースギター用の楽器スタンドであって、該楽器スタンドが枠状のフレームと、該フレームに配置された長細い２つの支持部材とを有しており、該支持部材が互いに平行に延びていて、楽器のボディのための支持部として働くようになっており、さらに前記枠状のフレームに、楽器のネックを当接させるための当接面を有する当接部材が配置されている形式のものに関する。
【０００２】
【従来の技術】
このような形式の楽器スタンド、特にギタースタンドまたはベースギタースタンドはすでに市場において購入可能である。この公知のスタンドでは楽器ボディ用の平行な支持部材はたいてい楽器ネック用の当接部材の有効な当接面に対して垂直に延びている。このようなギターケースは数多くの使用用途において実践的ではない。さらにこのような形式の多重スタンドは多くの構造的な手間と、複数の楽器を載置するための所要スペースを必要とする。また従来のモデルではスタンドに楽器を載置することは、正確さと集中力とを必要とする。しかしあわただしいコンサート時には正確に設置することが常にできるわけではない。
【０００３】
【発明が解決しようとする課題】
本発明の課題は、構造的に簡単に製造することができかつ操作の点でも著しい利点を有する選択的なギタースタンドを提供することである。
【０００４】
【課題を解決するための手段】
この課題を解決するために本発明の構成では、当接部材が、２つの支持部材に対してほぼ平行に延在するように配置されており、枠状のフレームに、または長細い支持部材の領域に、支持部材に平行な旋回軸を中心にして少なくとも外側の支持部材を当接部材に対して旋回させることを可能にするヒンジ装置が配置されているようにした。
【０００５】
別の有利な構成は、従属請求項に記載した。
【０００６】
【発明の効果】
本発明の中心思想は楽器のネック用の当接部材が有効な当接面で、楽器のボディ用の、２つの長細い支持部材に対してほぼ平行に延在するように配置されていることにある。ギターまたはベースギターが間隔をおいた支持部材上に位置決めされている。ギターの主要平面は、支持部材に対しても当接部材の規定された当接面または当接線に対しても垂直に延在している。これらのギターは本発明のスタンドにおいてほぼ楽器の主要平面方向でスタンドに載置されるか、もしくはスタンドから取り出される。この場合同時にギターの主要平面に対して垂直な軸線を中心にした旋回運動が行われる。従来のギタースタンドはこれとは反対にギターをその主要平面に延在する軸線を中心にして旋回させる。
【０００７】
有利な実施例では本発明によって新たな多重スタンドが得られる。この構成では長細い支持部材は、複数の楽器が互いに間隔をおいて、長細い支持部材に沿って載置可能であるように寸法設計されている。ギターまたはベースギターの場合にはこれらの楽器は相前後して並べられ、これにより特にスペース的に節約されると同時に美的に好印象を与える位置可能性が提供される。前述した発明の特別な構成によれば、長細い支持部材は連続して形成されており、結果として支持部材は複数のギターを少なくとも部分的に支持する。しかし複数の楽器が整列して、場合によっては簡単に置き換えて載置可能である限り、支持部材は複数の部分区分に分割することもできる。
【０００８】
本発明の特に有利な構成によれば当接部材の当接面または当接線は支持部材の投影平面図で見て、両長細い支持部材の外側に位置している。スタンドは支持部材の平面がほぼ水平方向に延在するように配置されると、前述したような配置によって、楽器が垂直線に対して規定された傾斜で当接面に立てかけられることが保証される。旋回力に基づき安定的な位置が保証されている。ギターまたはベースが傾けられて位置決めすることによってさらに特に美的効果が得られる。
【０００９】
別の有利な実施例において長細い支持部材は端部側で側方区分を介して互いに結合されている。これにより互いに平行に延在する支持部材のための閉鎖された形が得られる。これらの側方区分はスタンドの所定の側方被覆部を提供し、側方区分で支えられる楽器を保護する。
【００１０】
本発明による別の実施例によれば支持部材は、楽器が単に上方から支持部材上に載置されているだけでなく、支持部材間の領域に幾分侵入するように互いに間隔をおいて配置されている。これにより楽器はさらに安定化される長細い支持部材間の間隔はギターまたはベース用に使用した場合８〜４０ｃｍ、有利には約２０〜３０ｃｍである。
【００１１】
また、本発明によれば、枠状のフレームまたは長細い支持部材の領域にヒンジ装置が配置されており、このヒンジ装置は少なくとも外側の支持部材を当接部材に対して、支持部材に平行な旋回軸を中心にして旋回させるようになっている。これにより搬送に必要なスペースを減少させることができる。同時に製造側および販売側の保管料が節約される。
【００１２】
具体的な実施例では長細い当接部材に分割装置が配置されており、該分割装置が、複数の楽器のために設けられた当接部材を複数の区分に分割するようになっている。これにより使用者にとって楽器の間隔が著しく分かり易くなっている。
【００１３】
具体的な実施例では枠状のフレームが、設置した状態で鉛直線に対して傾いて延在している支持フレームを有しており、これらの支持フレームに一方では単数または複数の長細い当接部材が係合しており、他方では脚部部材または壁固定装置が係合している。楽器用のこれらのスタンドは原理的には底面に置くためのスタンドとして考えられている。しかし一部変更することでこれらのスタンドは壁固定するためにも適するようになる。この場合必要とあらばギターまたはベースでは壁部からの最適な間隔を考慮しなければならない。
【００１４】
安定的しかも製造が著しく簡単な特に有利な実施例では、枠状のフレームおよび／または長細い支持部材および／または当接部材が横断面で見て円形の管から形成されている。
【００１５】
楽器を保護するためにかつ／または側方へのずれに対して楽器を良好に固定するために、長細い支持部材および／または長細い当接部材に少なくとも部分的に、比較的高い静摩擦係数を有する発泡性材料から成るプラスチック被覆部が設けられている。さらに側方へのずれを、相応に形成した分割装置によっても制限もしくは防止することができる。
【００１６】
本発明の独立した実施例では、２つの支持部材が強化部として枠状のフレームを強化するように構成されている。したがってこれらの支持部材は２重の機能をみたす。一方ではこれらの支持部材が楽器のボディ用の支持部として働く。他方ではこれらの支持部材が、スタンドの、枠状のフレームを強化する。
【００１７】
【発明の実施の形態】
次に図面に示した実施例に基づき本発明の実施形態を詳説する。
【００１８】
図１には楽器スタンドの実施例が第１側面図として示されている。この楽器スタンドには図解するためにベースが載置されている。図１によるスタンドは枠状のフレーム１３を有しており、このフレーム１３は脚部部材２９，３０と、ここではほぼＵ字状に形成された支持フレーム２８とを有している。Ｕ字状の支持フレーム２８はヒンジ装置２１，２２を介して各脚部部材２９，３０に接続されている。
【００１９】
互いに平行に延びる長細い２つの支持部材１４，１５は側方区分１９，２０を介して結合されて、丸み付けられた角部を有する方形の環状部材３６を成している。この環状部材３６はその側方区分１９，２０の領域において有利にはねじ結合部を介して脚部部材２９，３０に固定されており、その結果長細い支持部材１４，１５によって枠状のフレーム１３の安定性は高められる長細い支持部材が２重機能を有する、つまり一方では支えようとする楽器の支持部材として、他方では枠状のフレーム１３のための強化部として働くという概念は、独立した概念として請求されている。
【００２０】
当接する楽器の保護のためにかつ側方へのずれを防止する静摩擦を高めるために、環状部材３６は発泡性プラスチック材料”Ｓｕｐｅｒｌｏｎ”によって被覆されている。
【００２１】
それぞれボディ１１とネック１２とから成る単数または複数のベースギターを主要平面で長細い支持部材１４，１５に対して垂直に図１に示したように環状部材３６に挿入することができる。当該実施例において自由に選択可能な支持箇所１６，１７で、ギターまたはベースギターのボディ１１を長細い支持部材１４，１５に載置することができる。ギターの挿入および取出しは主として、ギターの主要平面に位置する方向で、場合によってはギターの主要平面に対して垂直な回転軸を中心にギターを旋回させて行われる。
【００２２】
当該実施例において支持フレームの、脚部部材２９，３０とは反対側の領域にはＵ字形の支持フレームの中間脚部において同様に長細い当接部材１８が形成されている。この当接部材１８は長細い支持部材１４，１５に対して平行に延在しており、当接面または当接線は支えようとする楽器のための上方当接部として規定されている。当該実施例ではギターまたはベースギターがそのネック領域で当接部材１８にたてかけられる。
【００２３】
さらに長細い当接部材１８には分割装置２３，２４，２５を設けることもできる。これらの分割装置２３，２４，２５は当接部材１８に対してほぼ垂直に延在し、多重スタンドである場合には複数の楽器のための分割を規定している。当該実施例のようなこの分割装置は同時に側方での安定化のためにも、ギターまたはベース用の当接可能性として作用する。
【００２４】
図２には図１によるスタンドの上方から見た平面図が示されている。長細い支持部材１４，１５と側方区分１９，２０とから成る著しく特徴付けられた環状部材３６は、複数の楽器のための共通の当接部として設けられているのがわかる。同時にこの環状部材３６は枠状のフレーム１３のための強化部材として働く。複数のギターのための分割装置２３，２４，２５を有する、すでに示した長細い当接部材１８は図２によってより理解することができる。分割装置２３，２４，２５の間にはそれぞれ区分２６，２７が形成されており、該区分２６，２７はそれぞれ１つの楽器のために設けられている。楽器の構成に応じて場合によっては１つの区分２６，２７に複数の楽器を載置することもできる。しかしそうなるとスタンドへの楽器の設置またはスタンドからの楽器の取出しの際に相互に損傷し合う危険性は高められる。
【００２５】
当接装置１８と、この長細い当接部材１８に対して垂直に延びる分割装置２３，２４，２５とは各区分２６，２７のために側方の制限部を形成しており、載置されたギターがスタンドにおいて支持部材に対して平行な方向に転倒するのを妨げる。これらの分割装置２３，２４，２５には、固着力を高めるためにかつ楽器を保護するためにプラスチック被覆部３４が設けられている。
【００２６】
図３には図１によるスタンドの断面図が示されている。この図では環状部材並びに枠状のフレームも最初は管、有利には金属管から形成されている。この環状部材３６の金属管上には前述したようなプラスチック被覆部３３が設けられている。当接部材１８の領域にはＵ字形の支持フレーム２８の中央脚部が内部で延びている。この中央脚部もプラスチック被覆部３４によって被覆されている。
【００２７】
脚部部材２９，３０に対して支持フレーム２８を旋回するために、脚部部材２９，３０に固定された環状部材３６には前述したようにヒンジ装置２１，２２が設けられている。これらのヒンジ装置２１，２２がここでは脚部部材に２９，３０に配置された、孔を備えたフランジを取り囲んでいる。さらにそれぞれ対応配置されたフランジはここではＵ字形の支持フレーム２８の末端部に配置されており、このフランジには協働する孔が設けられている。４つのフランジの孔は互いに整合するように配置されていて、対ごとにボルトを介してそれぞれ介して枢着式に結合されている。この整合している孔もしくはボルトは旋回軸Ａを規定する。この旋回軸Ａを中心にして支持フレーム２８は脚部部材２９，３９に対して相対的に旋回可能である。
【００２８】
図４には図１によるスタンドが、図解するために正面図で示されており、この正面図から支持フレーム２８のＵ字形の構成が明確に理解できる。
【００２９】
図５にはスタンドが折り畳まれた状態で示されている。この場合に環状部材３６は同時に支持フレーム２８のための支持部として働く。スタンドの開かれた状態ではここではＵ字形支持フレーム２８の末端部が、脚部２９，３９の上にあるストッパを形成している。この場合、支持フレーム２８の末端部と脚部部材２９，３０との間のジオメトリは支持フレームの外側脚部が開かれた状態で環状部材の平面に対して９０゜より大きい、有利には９１〜９６゜の角度を成しているように寸法設定されている。。
【００３０】
図６には選択的な実施例が示されている。この実施例ではスタンドの壁固定部材を図解している。このために例えば支持フレーム２８には壁固定部材３１，３２を係合させることができ、これらの壁固定部材３１，３２を介して壁への固定が可能になる。いずれにしろ壁からの十分な間隔をとらねばならないので、スタンドをここに示した壁固定装置３１，３２によって有利には棚等の端面に固定することができる。
【００３１】
図７には第２の選択的な実施例が示されている。すでに前述したように本発明の基本思想には、例えばそれぞれ外側に向かう凹部３５として図示したように長細い支持部材１４を正確な平行形状とは幾分異なって構成することも含まれる。環状部材３６に設けられた、それぞれ外側に向かう凹部３５によってギターまたはベースギターはさらに良好に予め決められた位置に固定され、結果として複数のギターの相対的な位置の意図しない変化がこれらの凹部３５によって防止される。
【００３２】
さらに図８から分かるように本発明では、長細い支持部材１４，１５が直線的に互いに平行に延在することを前提条件とはしていない。それどころか支持部材が、互いに調整された湾曲した形状例えば円弧状の形状を有している場合にも、本発明の思想は実現される。図８に図示したスタンドは四分円状の形状により部屋の角に配置するのに適している。別の類似した実施例では図８に示したスタンドの形状を円形に配置することができる。この場合互いに接続された複数の環状部材３６が設けられているか、またはそれぞれ閉鎖された長細い支持部材１４，１５を有する、側方区分１９，２０のない完全に環状の構造体が設けられていてよい。
【図面の簡単な説明】
【図１】  ベースギターを収容した楽器スタンドの実施例の第１側面図である。
【図２】  ベースギターのない状態で示した図１による楽器スタンドの、上方から見た平面図である。
【図３】  図１による楽器スタンドのＩＩＩ−ＩＩＩ線に沿った断面図である。
【図４】  図１による楽器スタンドの正面図である。
【図５】  図１による楽器スタンドを折り畳んだ状態で示した図である。
【図６】  図１の楽器スタンドの第１変化実施例である。
【図７】  図１の楽器スタンドの第２変化実施例である。
【図８】  図１の楽器スタンドの第３変化実施例である。
【符号の説明】
１１  ボディ、  １２  ネック、  １３  フレーム、  １４，１５  支持部材、  １６，１７  支持箇所、  １８  当接部材、  １９，２０  側方区分、  ２１，２２  ヒンジ装置、  ２３，２４，２５  分割装置、  ２６，２７  区分、  ２８  支持フレーム、  ２９，３０  脚部部材、  ３１，３２  壁固定装置、  ３３，３４  プラスチック被覆部、  ３５  凹部、  ３６  環状部材
【図１】
0003795760.tif 000002
【図２】
0003795760.tif 000003
【図３】
0003795760.tif 000004
【図４】
0003795760.tif 000005
【図５】
0003795760.tif 000006
【図６】
0003795760.tif 000007
【図７】
0003795760.tif 000008
【図８】
0003795760.tif 000009